(57)【要約】  器具本体が、器具本体への流体流を提供する流体送達システム及び流体の出口を含む。キャビテーションアセンブリは、流体流に応じ、圧縮又は妨害部材を含み、キャビテーションアセンブリまでの流量及び該アセンブリを通る流量並びに流速さらに他の因子は、流体力学的キャビテーションが処置表面への送達のために当該器具の出口にて生成されるように、０．１から６の範囲のキャビテーション数を生じる。
2015503382.tif 000002
【特許請求の範囲】
【請求項１】
歯の表面を処置するためのオーラルケア器具であって、
流体流を生成するための流体送達システム及び当該器具からの流体の出口を含む器具本体と、
入口を有し、前記流体流に応答性であり、圧縮又は妨害部材を含むキャビテーションアセンブリと、
を含み、
前記キャビテーションアセンブリまでの流量及び該アセンブリを通る流量、並びに、流速は、流体力学的キャビテーションバブルが当該器具の出口にて生成されるようにあり、前記流体力学的キャビテーションバブルは、前記出口から歯の処置表面まで移動する、オーラルケア器具。
【請求項２】
前記キャビテーションアセンブリまでの前記流体流は、継続的又は断続的である、請求項１に記載のオーラルケア器具。
【請求項３】
前記キャビテーションアセンブリは、流体流入メインチャネル、次に、圧縮チャネル及び出口を含む、請求項１に記載のオーラルケア器具。
【請求項４】
前記出口の遠位端にてスペーサー要素を含み、該スペーサー要素は、前記圧縮要素と前記出口部分と前記スペーサーとの間に緩衝ゾーンを生成するように配置及び構成され、前記緩衝ゾーン内で、圧力は、前記キャビテーションバブルが前記処置表面までさらに移動するのを可能にするのに十分低く残るようにされる、請求項３に記載のオーラルケア器具。
【請求項５】
前記キャビテーションアセンブリは、前記流体チャネルを横切って延びる妨害部材を含む、請求項１に記載のオーラルケア器具。
【請求項６】
前記妨害部材はピンであり、前記ピン部材は、前記流体チャネルの直径の約５０％である直径を有する、請求項５に記載のオーラルケア器具。
【請求項７】
前記妨害部材はグリッド部材である、請求項１に記載のオーラルケア器具。
【請求項８】
前記キャビテーションアセンブリは、プレートを含む圧縮部材を含み、前記プレートは、前記プレートを通る複数の開口部を有する、請求項１に記載のオーラルケア器具。
【請求項９】
前記キャビテーションアセンブリは、前記流体チャネルの狭い領域の形状で圧縮要素を含み、前記流体チャネルの狭い領域は、ベンチュリ効果及びその出口にてキャビテーションバブルを生じるように配置された、請求項１に記載のオーラルケア器具。
【請求項１０】
当該器具に対するキャビテーション数は、０．１乃至６の範囲内にある、請求項１に記載のオーラルケア器具。
【請求項１１】
前記キャビテーション数は、０．１乃至１の好ましい範囲内にある、請求項１に記載のオーラルケア器具。
【請求項１２】
前記キャビテーション数は、０．３乃至０．５の最も好ましい範囲内にある、請求項１に記載のオーラルケア器具。
【請求項１３】
前記キャビテーションアセンブリは、０．５ｍｍから１５ｍｍの範囲内の直径を有した入口を有する、請求項１に記載のオーラルケア器具。
【請求項１４】
前記入口の直径が、１ｍｍから３ｍｍの好ましい範囲を有する、請求項１３に記載のオーラルケア器具。
【請求項１５】
前記圧縮部材が、０．１から１０ｍｍの範囲の直径を有する、請求項１に記載のオーラルケア器具。
【請求項１６】
前記圧縮部材が、０．５ｍｍから１０ｍｍの好ましい範囲の直径を有する、請求項１５に記載のオーラルケア器具。
【請求項１７】
前記圧縮部材が、０．１ｍｍから２５ｍｍの範囲の長さを有する、請求項１に記載のオーラルケア器具。
【請求項１８】
前記圧縮部材が、０．５ｍｍから３ｍｍの好ましい範囲の長さを有する、請求項１７に記載のオーラルケア器具。
【請求項１９】
前記出口が、０．５ｍｍから１５ｍｍの範囲の直径を有する、請求項１に記載のオーラルケア器具。
【請求項２０】
前記出口が、１ｍｍから３ｍｍの好ましい範囲の直径を有する、請求項１９に記載のオーラルケア器具。
【請求項２１】
前記出口部分が、０ｍｍから２５ｍｍの範囲内の長さを有する、請求項１に記載のオーラルケア器具。
【請求項２２】
前記出口が、１ｍｍから６ｍｍの好ましい範囲内の長さを有する、請求項２１に記載のオーラルケア器具。
【請求項２３】
前記出口が、９０°から０．５の範囲の流出角を有する、請求項１に記載のオーラルケア器具。
【請求項２４】
前記出口が、４°から８°の範囲の流出角を有する、請求項２３に記載のオーラルケア器具。
【請求項２５】
前記入口が、４５°から１３５°の範囲の角度を有する、請求項１に記載のオーラルケア器具。
【請求項２６】
前記流入角が６０°から１００°の範囲内である、請求項２５に記載のオーラルケア器具。
【請求項２７】
電動歯ブラシである、請求項１に記載のオーラルケア器具。
【請求項２８】
歯間腔において使用するためのフロシング装置である、請求項１に記載のオーラルケア器具。
【請求項２９】
流体リザーバ、流体ポンプ、ドライブアセンブリ、コントロールアセンブリ及び電源アセンブリを含むハンドルと、
ブラシヘッドアセンブリと、
を含む電動歯ブラシであって、
前記ブラシヘッドアセンブリは、その遠位端にてブラシヘッド部材を有し、毛のベースに乗せられた一組の毛、及び、キャビテーションアセンブリを含み、該キャビテーションアセンブリの流体チャネル部分内の圧縮部材又は妨害部材を通る流体流の変化が、前記キャビテーションアセンブリの出口にて流体力学的キャビテーションを生成し、キャビテーション数は、０．１から１の範囲内にある、電動歯ブラシ。
【発明の詳細な説明】
【技術分野】
【０００１】
本発明は、一般に、オーラルケア器具の分野に関し、特に、そのような器具からの流体流においてキャビテーション作用を生じるアセンブリによる器具の効果における改善に関係する。
【背景技術】
【０００２】
人の一生の間に口内の健康を維持するためには、歯の上の口腔バイオフィルムの存在を制御することが重要である。特に歯肉線に沿った歯間（歯間腔）の、電動歯ブラシ若しくは手動の歯ブラシの毛、又は、他のオーラルケア器具が到達することができない領域における口腔バイオフィルムを制御することが、特に重要である。歯ブラシに対して、例えば、歯ブラシの毛は歯肉線内又は歯間に到達することができないため、毛による除去以外の洗浄手段が必要である。多くの異なるアプローチが、そのような結果を生じるために使用されてきた。手動のフロシングは１つのアプローチであるが、一般に、規則的なフロシングのスケジュールを維持することができる人はほとんどいない。他のアプローチは、それらの領域に物理的に延びるように適応された、特定の形状の毛を有したものを含む、特定の形状を有した種々の道具の使用を含む。これらのアプローチは、しかし、特に効果的であるというわけではない。さらに他のアプローチは、音波作用を生じてバイオフィルムを除去する要素の使用を含む。
【発明の概要】
【発明が解決しようとする課題】
【０００３】
上記のアプローチは異なる結果を有しているけれども、一部のアプローチは他のものよりも確かなものであり、産業界及び公衆は、依然として、隣接歯間の領域を含む歯を洗浄するのに効果的なだけでなく、信頼でき且つ使用するのに便利な歯ブラシ又は他のシステムを求めている。本明細書において示される及び記載されるシステムは、それらの目的を達成するように設計される。
【課題を解決するための手段】
【０００４】
従って、歯の表面を処置するための新たなオーラルケア器具は、流体流を生成するための流体送達システム及び当該器具からの流体の出口を含む器具本体と、入口を有し、流体流に応答性であり、圧縮又は妨害部材を含むキャビテーションアセンブリとを含み、キャビテーションアセンブリまでの流量及び該アセンブリを通る流量、並びに、流速は、流体力学的キャビテーションバブルが当該器具の出口にて生成されるようにあり、流体力学的キャビテーションバブルは、その出口から歯の処置表面まで移動する。
【図面の簡単な説明】
【０００５】
【図１】一般に示された流体力学的キャビテーションアセンブリを有した歯を洗浄する（口内健康）器具の断面図である。
【図２】歯ブラシのブラシヘッドの形状でキャビテーションアセンブリを示した断面図である。
【図３】キャビテーションアセンブリの圧縮部分の実施形態の断面図である。
【図３Ａ】キャビテーションアセンブリの圧縮部分の実施形態の断面図である。
【図３Ｂ】キャビテーションアセンブリに対する流出角及び流入角を例示した図である。
【図３Ｃ】キャビテーションアセンブリに対する流出角及び流入角を例示した図である。
【図３Ｄ】キャビテーションアセンブリに対する流出角及び流入角を例示した図である。
【図３Ｅ】キャビテーションアセンブリに対する流出角及び流入角を例示した図である。
【図３Ｆ】キャビテーションアセンブリに対する流出角及び流入角を例示した図である。
【図４】図３の実施形態を修正した断面図である。
【図５】キャビテーションアセンブリの別の圧縮タイプの実施形態の断面図である。
【図６】キャビテーションアセンブリの妨害タイプの実施形態の断面図である。
【図７】多数の圧縮のためのプレートを有したキャビテーションアセンブリの別の実施形態の断面図である。
【図７Ａ】多数の圧縮のためのプレートを有したキャビテーションアセンブリの別の実施形態の端面図である。
【図８】キャビテーションジェットを有した歯ブラシのブラシヘッドの斜視図である。
【発明を実施するための形態】
【０００６】
図１は、以下でより詳細に記載される、流体力学的キャビテーション能力を有したオーラルケア器具を示している。一般に、いくつか既知のタイプのキャビテーション作用がある。いくつかの構造的実施形態を有した、本明細書において記載される特定のキャビテーション作用は、慣性タイプのキャビテーションである流体力学的キャビテーションと呼ばれ、キャビテーションアセンブリを通る流体流における気泡の成長及び崩壊は、キャビテーションアセンブリ内の流体及び該アセンブリを通る流体の流速並びに圧力における変化のため発生する。
【０００７】
作動中、局所的な流体圧力は、１つの圧縮部分若しくは多数の圧縮部分を通る、又は、流体流における妨害部分の付近の流速の増加のために低下する。キャビテーションアセンブリを通って流れる液体の流体圧力が、流れの経路内に存在する圧縮又は妨害部分の存在のために蒸気圧を下回って低下する場合、蒸気気泡が、キャビテーションアセンブリにおける流体内で成長し始める。流体流が減速する場合、圧力は増え、気泡の崩壊が生じる。好ましくは、蒸気気泡は、ノズル内の流体経路に沿って移動するに従い成長し、さらに、ノズルの出口から下流の領域において崩壊する。流体力学的キャビテーション作用は、キャビテーションアセンブリの内部形状による、流れる液体における圧力の変化によって生じる。圧力変化を生じるための種々の特定の物理的配置は、以下に記載されている。記載されるものに加えて、所望の流体力学的キャビテーション作用を生じることができる数多くの他のものがある。
【０００８】
上がる流速による圧力の低下は、ベルヌーイの式：（１／２）ｐｖ２＋ｐｇｚ＋ｐ＝定常によって決定され、ここで、ｖ＝液体の速度であり、ｐ＝圧力である。流体力学的キャビテーションは、いかなる乱流の流体においても発生し得る。乱流は、低い圧力により流体が蒸発して空洞又は気泡を形成するように、非常に減った流体圧力の領域を生成する。液体流がキャビテーションアセンブリの出口にて膨張する場合、圧力は増え、気泡の崩壊を生じる。慣性（一過性）のキャビテーションが、迅速な成長と共に発生し、次に、液体において蒸気気泡の崩壊（内破）が発生する。気泡の内破の間、周囲の液体は、蒸気気泡によって作られた空隙を急速に満たし、周囲の流体の生成及び局所的加速を生じ、歯の上の粒子を追い出すと共にバイオフィルムを除去することができる。
【０００９】
キャビテーション作用は、乱流、液体循環流、剪断応力／剪断力、衝撃波、圧力勾配等の生成によって引き起こされる機械的（物理的）効果を含む、いくつかの同時に作用する機構の組み合わせを介して微生物の不活性化を生じる。流体のマイクロストリーミングは、細菌の細胞膜を分裂させるのに十分な剪断応力を生じると分かってきている。空洞形成する気泡に捕捉された蒸気の解離による活性の遊離基（ＯＨ遊離基）の生成を含む化学的効果も生じることができる。さらに、気泡の崩壊のポイントでの局所的な発熱部分の生成等、熱効果も可能である。
【００１０】
流体力学的キャビテーションの組み合わされた結果は、歯からのオーラルバイオフィルムの分裂及び洗浄であり、改善された歯の洗浄及び改善された歯茎の処置を生じる。流体力学的キャビテーションは、従って、個々のユーザによって操作される器具の使用を介したオーラルケアにおける著しい改善の可能性を示す。種々の因子／パラメータが、以下でより詳細に記載される種々の実施形態におけるキャビテーション作用の有効性において重要である。
【００１１】
圧力は気泡成長の間の駆動力であり、急激な成長を経る気泡核の量にも、気泡によって到達される最大サイズにも影響を与えるため、流体力学的キャビテーションにおける重要なパラメータは、キャビテーション作用において重要な役割を有する最低圧力Ｐｍｉｎを含み、Ｐｍｉｎ＝Ｐｉｎ−（１／２）ｐ（ｖｍａｘ２−ｖｍｉｎ２）−ｋであり、ここで、Ｐｉｎは入口圧力であり、ｖｍａｘは、キャビテーションチャンバにおいて到達される最大液体速度であり、ｖｉｎは入口速度であり、さらに、ｋは、キャビテーションチャンバにおける液体経路に沿った圧力損失である。他の因子は、器具内の液体ポンプによって生成されるもの等、上流の圧力、キャビテーションアセンブリを超えた下流の液体圧力、流体の流量、特定のキャビテーションアセンブリ設計、キャビテーションノズルのサイズ、拡散スロートの長さ、気泡核が成長するのを可能にするキャビテーションチャンバにおける流体の滞留時間、圧力回復時間、及び、流体流の乱流を含む。加えて、表面粗さは、局所的な低い圧力摂動を作り出すことによってキャビテーションを促進することができる。
【００１２】
ここで、特に図１を参照すると、ハンドル部分２０及びキャビテーションアセンブリ部分３９を含むキャビテーション器具が１０にて示されている。ハンドル部分は、器具が電動歯ブラシの形状にある場合に、選択された動きを介してブラシヘッドアセンブリを駆動するために使用することができる従来のドライブトレインアセンブリ２４を含み得る。当該器具は、充電コイル２８と共に充電式電池２６によって動力を供給される。システムの操作は、マイクロプロセッサ３０及びオン／オフボタン３２によって制御される。ブラシヘッドは、３９にて概して示されているキャビテーションアセンブリまでハンドル２０から延びるネック部分３８も含む。ネック部分３８は、キャビテーションアセンブリまでの液体の流れ（液体経路）を可能にする空洞である。
【００１３】
液体注入口４４を有した液体リザーバ４２、及び、操作中にキャビテーションバブル４１を生成するキャビテーションアセンブリまで液体経路４７を通ってリザーバ４２から流体をポンプでくみ上げる能力を持つポンプ４６もハンドル内に置かれる。リザーバ内の液体は水であり得るか、或いは、種々の添加剤を有する水、口内洗浄液、歯磨き剤若しくは過酸化水素又は他のものを含む他の液体であってもよい。
【００１４】
圧縮部分を使用したキャビテーションアセンブリの構成が、図３及び３Ａにおいて示されている。図３において、キャビテーションアセンブリ６０は、アセンブリ本体６２を含む。ハンドル内のリザーバからの液体流は、入口６４を通ってチャネル６６内に移動し、その遠位端にて圧縮開口部６８に直面する。この実施形態において、キャビテーションを生成するために、チャネル６６の直径は約０．５ｍｍから１５ｍｍであり、好ましい範囲は１乃至３ｍｍである。圧縮部分６８の直径は約０．１乃至１０ｍｍであり、好ましい範囲は０．５乃至１．０ｍｍである。圧縮部分６８の長さは約０．１ｍｍから２５ｍｍであり、好ましい範囲は０．５乃至３ｍｍである。図３の実施形態において、圧縮開口部の出口にて出口領域７０があり、該出口領域は、０．５ｍｍから１５ｍｍの範囲の直径を有し、好ましい範囲は１ｍｍ乃至３ｍｍである。出口２０の長さは０乃至２５ｍｍの範囲を有し、好ましい長さは１乃至６ｍｍである。
【００１５】
図３Ａは、入口チャネル６５、ベンチュリ領域６７及び出口領域７１を有したベンチュリ設計のキャビテーションアセンブリ６３である。
【００１６】
上記の範囲は、一般的に、図３及び３Ａの実施形態に対してキャビテーションを生成するのに妥当である。図４の実施形態は、出口の終わりにてスペーサー７２を含む。スペーサーは、約１．５ｍｍである開口部７４を有する。スペーサーは、可撓性材料から作製することができる。スペーサーは、圧縮部分と出口領域とスペーサーとの間に緩衝ゾーンを作り出す。緩衝ゾーンは、歯間腔を含む歯の表面に送達されるためのキャビテーションバブルの成長及び移動に寄与する。
【００１７】
図３、３Ａ及び４の実施形態は、流出角及び流入角を含む。流出角に対する範囲は９０°から０．５°であり、好ましい範囲は４乃至８°であり、その好ましい角度は、徐々に広がる出口を生成し、図３Ａにおいて概して例示されている。９０°の角度の実施形態が、図３において示されている。流入角に対する範囲は４５°から１３５°であり、９０°の角度が図３において示されている。種々の流入角が図３Ｄ乃至３Ｆにおいて示されていながら、流出角が図３Ｂ及び３Ｃにおいて例示されている。
【００１８】
図５は、入口流体チャネル１０２及び出口１０４におけるキャビテーションアセンブリ１００を示している。チャネル１０２において、ベンチュリ効果を生じる狭い領域１０６がある。閾値の流体の流速を超えると、結果は、出口１０４を超えた流体力学的キャビテーション（蒸気気泡）であり、バイオフィルムに対する所望の洗浄効果を生じる。
【００１９】
流体力学的キャビテーションを定量化するための一般的な方法は、キャビテーション数の使用による。キャビテーション数は、どの流体力学的特性の下でキャビテーションの開始を予想することができるかということを示すことができる。キャビテーション数Ｃｖは、以下の式
【００２０】
【数１】
2015503382.tif 000003
によって決定され、ここで、Ｐａ＝圧縮部分の下流の圧力（大気圧）であり、Ｐｖ＝流体の蒸気圧であり、ｖ＝圧縮部分内又はオリフィスでの平均速度であり、さらに、ｐ＝流体の密度である。
【００２１】
主要な操作パラメータは、ｍ／ｃで表される流体の流速ｖである。キャビテーションは、閾値の流速にて始まる。より少ないキャビテーション数にて閾値速度を超えて流体の流速を上げることによって、キャビテーションはさらに激しくなる。
【００２２】
オーラルケアキャビテーションアセンブリに対する作動範囲は、蒸気気泡の密度とユーザの快適さとを比較考量することから決定されるように、０．１から６（６未満）であり、好ましい範囲は０．１から１（１未満）であり、最適な範囲は０．３から０．５である。
【００２３】
キャビテーション数の式は、原則として、幾何学的なスケール次第である。その数は、例えばガス飽和率及び流体温度が、使用される流体のタイプの蒸気圧Ｐｖの正確なレベルに影響を与え得るため、一次妥当性（ｆｉｒｓｔ  ｏｒｄｅｒ  ｖａｌｉｄｉｔｙ）を有する。種々の条件下での蒸気圧は、関連がある入手可能な文献において提供されている。圧縮された領域における平均流速は、水道水に対して５ｍ／ｓから５０ｍ／ｓである。好ましい範囲は、ここでも水道水に対して２０ｍ／ｓから３０ｍ／ｓである。流れは、継続的又は断続的であり得る。断続的な流れに対して、持続時間範囲は、０．０２秒から２秒である。断続的な流れに対する好ましい持続時間範囲は、閾値の流速にて０．１乃至０．５秒である。
【００２４】
ノズルから出て来る流体の流れの向きは、出口チャネルの形状に応じて集束型ジェット又は広がり流であってもよい。これは、蒸気気泡の到達に影響を与える。
【００２５】
図６は、空洞形成するジェットの形状でキャビテーションアセンブリを示しており、出口開口部９４まで狭まる空洞形成するジェット部材の本体内に流体チャネル９２を含む。キャビテーション作用を生じる妨害要素９６が、出口開口部に先立ち流体経路内に置かれており、妨害要素は、典型的に、流体チャネルを横切って延びるピン部材９８の形状である。この構成において、流体チャネル９２の直径及びピンの直径は、上記の圧縮の実施形態に対するものとほぼ同じである。ピンは、断面において円形であってもよく、若しくは、鋭角を有してもよく、又は、他の構成を有してもよい。流体の流量、出力直径、出力長さ等、ピン妨害の実施形態の作動の他の態様は、実質的に、以下で開示される圧縮の実施形態に対するものと同じである。
【００２６】
別のキャビテーションアセンブリ４４が、キャビテーションプレート４６として図７及び７Ａにおいて概して示されており、そこを通る開口部４８を有している。離れた開口部４８が、プレート４６内に提供されている。開口部４８を有したプレート４６は、キャビテーションアセンブリにおける圧縮の別の実施形態を形成する。プレート４６は、図７Ａにおいて示された円形を含む種々の構成を用いることができる。プレートは、ブラシヘッド部材に合うように、楕円形若しくは長方形、又は、他の類似の形状であってもよい。この圧縮構成において、オリフィスプレート４６は、液体５２がオリフィスプレートを通り抜けて、オリフィスプレート４６の下流で流体力学的キャビテーションを生成するのを可能にする１つ又は複数の開口部４８を含む。結果として生じる気泡は、図７において５４にて示されている。この場合約０．５乃至３ｍｍのオリフィスプレートの厚さは、圧縮部分（開口部分）を通る流速において要求された増加を生じ、要求された圧縮部分を通る流体の圧力低下を生じるのに十分である。キャビテーションのために圧力が閾値の圧力を下回って低下するに従い、キャビテーションバブルは成長し始める。先に詳細に記載したように、キャビテーションバブルは、圧力が再び上がる場合に、オリフィスプレートの出口にて崩壊する。この実施形態において、開口部は、直径が約０．５乃至１．０ｍｍである。開口部のサイズは、プレート内の開口部の間でさえ、ある程度まで変わり得る。上流の流体領域に対するオリフィスプレートの１つ又は複数の穴（開口部）の領域の合計の比として定義される、％で表される無次元パラメータβ０によって記載することができる複数の開口部がある。例えば、２０％のβ０値は、流体領域の８０％がブロックされているということを意味する。本実施形態においてβ０は１％乃至９０％であり、好ましい範囲は、２％から５０％である。
【００２７】
上記のキャビテーション圧縮構成は、液体流における圧力変化を伴い、且つ、他のタイプのキャビテーションには必要なように高周波ではないため、効率的で快適且つ安全な流体力学的キャビテーションを生じる。キャビテーションアセンブリにおいて作られるキャビテーションバブルは膨張し、さらに、アセンブリの出口の下流で内破して、歯の上、特に歯間領域及び歯肉線の下にあるバイオフィルムに対して剪断応力及び機械的効果を生じる。蒸気気泡の移動距離は、０ｍｍから２０ｍｍの範囲内であり、ノズル出口から放出される。典型的な範囲は０ｍから６ｍｍである。
【００２８】
当該器具は、プロが使用する器具並びに家で使用する器具を含む、手動の歯ブラシ、電動歯ブラシ、オーラルイリゲーター、ウォーターフロス、隣接歯間及び歯肉線の下の洗浄に対して設計された実施形態を含む種々の機能的な歯を洗浄する道具を用いることができる。処置表面は、特に、口腔硬組織、オーラル器具又は口腔軟組織を含み得る。
【００２９】
電動歯ブラシに対するブラシヘッドは、例えば、図２に示されている。ブラシヘッドのネック部分４１の遠位端にて、一組の従来の毛３４が、毛のベース部材３６上に乗せられている。ネック部分４１は空洞であり、そこを通って流体４３の流れを可能にしている。図７及び７Ａにおいて示されたものと類似のキャビテーションプレート４７は、毛のベース部材の上側における開口部内に置かれている。毛３４は、キャビテーションプレート４７の上にも乗せられている。キャビテーションバブル５４は、プレート４７における開口部からの流体の流出と同時に現れる。
【００３０】
図８は、毛８４を有した毛のベース部材８２から延びる、及び、流体が出てくる出口の開口部８６を有するキャビテーションジェット部材８０を有した電動歯ブラシの実施形態を示している。キャビテーションジェットは、上記のように種々の圧縮部分又は妨害部分を含んでもよい。
【００３１】
図５、６及び８は全て、図３の可撓性材料のスペーサーに匹敵するオフセットを有するゴムのノズルチップを含む。
【００３２】
従って、電動歯ブラシのいくつかの実施形態が、従来の毛、及び、ベースプレート内に存在するか又は毛に対するベースプレートから延びる流体力学的キャビテーションアセンブリと組み合わせた結果として生じる歯ブラシの作用を使用して開示されてきた。流体力学的キャビテーションは、所望のキャビテーション作用を生じる流速及び圧力の変化次第であり、毛の効果に加えて、歯の上のオーラルバイオフィルムに対する効果を有する。高められた洗浄効果が、歯の間及び歯肉線での隣接歯間の領域を含む歯茎に対する処置作用と共に生じる。
【００３３】
本発明の好ましい実施形態が、例示目的のために開示されてきたけれども、種々の変更、修正及び置換を、以下の特許請求の範囲によって規定される本発明の真意から逸脱することなく実施形態において組み込むことができるということを理解するべきである。
【図１】
2015503382.tif 000004
【図２】
2015503382.tif 000005
【図３】
2015503382.tif 000006
【図３Ａ】
2015503382.tif 000007
【図３Ｂ】
2015503382.tif 000008
【図３Ｃ】
2015503382.tif 000009
【図３Ｄ】
2015503382.tif 000010
【図３Ｅ】
2015503382.tif 000011
【図３Ｆ】
2015503382.tif 000012
【図４】
2015503382.tif 000013
【図５】
2015503382.tif 000014
【図６】
2015503382.tif 000015
【図７】
2015503382.tif 000016
【図７Ａ】
2015503382.tif 000017
【図８】
2015503382.tif 000018
【国際調査報告】
2015503382.tif 000019
2015503382.tif 000020
2015503382.tif 000021